(57)【特許請求の範囲】
【請求項１】
原稿の両面の各画像情報を読み取る両面読取モードと、原稿の片面の画像情報のみを読み取る片面読取モードとを有する画像読取装置であって、
原稿の表面の画像情報を読み取る第１の読取手段と、
原稿の裏面の画像情報を読み取る第２の読取手段と、
上記第１の読取手段で発生した第１の画像読取情報の前後ラインの平均値情報を得る第１の平均値取得手段と、
上記第２の読取手段で発生した第２の画像読取情報の前後ラインの平均値情報を得る第２の平均値取得手段と、
上記両面読取モードで原稿の両面の各画像情報を読み取る場合に、上記第１及び第２の平均値取得手段で発生した第１及び第２の平均値情報を交互に所定ライン数ずつ間引くことで単位時間当たりの上記第１及び第２の画像読取情報量を上記片面読取モード時の単位時間当たりの画像読取情報と同等以下として出力する出力手段と
を備えたことを特徴とする画像読取装置。
【請求項２】
片面複写及び両面複写が可能な複写機であって、請求項１に記載の画像読取装置を備えることを特徴とする複写機。
【請求項３】
請求項１に記載の画像読取装置、又は請求項２に記載の複写機を含むことを特徴とするシステム。
【発明の詳細な説明】
【０００１】
【発明の属する技術分野】
本発明は、両面原稿を読取可能な画像読取装置、画像読取部に該画像読取装置を適用した両面複写が可能な複写機、及び該画像読取装置や複写機を含むシステムに関するものである。
【０００２】
【従来の技術】
従来より、両面原稿を読み取ることが可能な画像読取装置がある。この画像読取装置は、機械的に原稿を反転する機構により、片面ずつ原稿上の画像情報を読み取るようになされている。
しかしながら、このような画像読取装置で両面読取を行うと、原稿を傷めたり、片面読取の場合と比べて、ページ当たりの処理速度が遅くなる、という問題があった。
【０００３】
そこで、現在では、両面原稿を同時に読み取ることが可能な画像読取装置が提案されている。この画像読取装置は、表面用と裏面用で２つの画像読取部を有する構成としており、各々の画像読取部で得られた表面及び裏面の各画像読取信号に、所定の信号処理を行うようになされている。このため、その信号処理回路は、２ページ分の容量の画像読取信号を処理するための能力を持つように設計されている。
具体的には、例えば、図８に示すように、この画像読取装置６００は、原稿の表面の画像情報を読み取る画像読取部６０１と、原稿の裏面の画像情報を読み取る画像読取部６０２と、画像読取部６０１で発生した画像読取信号ＶＤＡに所定の信号処理を行う画像処理部６０３と、画像読取部６０２で発生した画像読取信号ＶＤＢに所定の信号処理を行う画像処理部６０４と、画像処理部６０３及び６０４で所定の信号処理された画像読取信号ＶＤＡ及びＶＤＢを記録紙の対応する面上に像再生する画像書込部６０５とから構成されている。
【０００４】
【発明が解決しようとする課題】
しかしながら、上述した画像読取装置６００のような従来の画像読取装置は、表面及び裏面の各画像読取信号に所定の信号処理を行う回路に、表面及び裏面の２つの画像を処理するための能力を持たせる必要があった。このため、従来の画像読取装置は、回路規模が片面原稿の画像読取装置に対して２倍になってしまっていた。或いは、両面原稿の読取速度を、片面原稿の画像読取装置に対して２倍にして、表面及び裏面の各画像読取信号に所定の信号処理を行う必要があった。また、従来の画像読取装置では、両面の各画像読取信号を同時に再生するように構成することは、コストの兼ね合いから一般的ではなく、片面ずつ再生するように構成されるのが主流である。
一方、ディジタル複写機では、両面原稿を読み取るだけではなく、片面原稿を読み取る機会もあり、どちらかと言うと、片面原稿を読み取る機会の方が多いのが一般的である。
【０００５】
そこで、上述のような従来の画像読取装置を使用してディジタル複写機を構成した場合、両面原稿を、片面原稿の画像読取装置に対して２倍の速度で読み取って信号処理を行ったとしても、両面の各画像読取信号を、その速度で再生することができなかった。これは、信号処理能力に、片面原稿の画像読取装置に対して倍の能力を持たせたにも関わらず、それによる効果を有効に活用していないと言える。
【０００６】
そこで、本発明は、上記の欠点を除去するために成されたもので、性能を落とすことなく、両面原稿の効率的な読取が可能な画像読取装置、複写機、及びシステムを提供することを目的とする。
【０００７】
【課題を解決するための手段】
斯かる目的下において、第１の発明は、原稿の両面の各画像情報を読み取る両面読取モードと、原稿の片面の画像情報のみを読み取る片面読取モードとを有する画像読取装置であって、原稿の表面の画像情報を読み取る第１の読取手段と、原稿の裏面の画像情報を読み取る第２の読取手段と、上記第１の読取手段で発生した第１の画像読取情報の前後ラインの平均値情報を得る第１の平均値取得手段と、上記第２の読取手段で発生した第２の画像読取情報の前後ラインの平均値情報を得る第２の平均値取得手段と、上記両面読取モードで原稿の両面の各画像情報を読み取る場合に、上記第１及び第２の平均値取得手段で発生した第１及び第２の平均値情報を交互に所定ライン数ずつ間引くことで単位時間当たりの上記第１及び第２の画像読取情報量を上記片面読取モード時の単位時間当たりの画像読取情報と同等以下として出力する出力手段とを備えたことを特徴とする。
【００１１】
第２の発明は、片面複写及び両面複写が可能な複写機であって、請求項１に記載の画像読取装置を備えることを特徴とする。
【００１２】
第３の発明は、請求項１に記載の画像読取装置、又は請求項２に記載の複写機を含むシステムであることを特徴とする。
【００１３】
【発明の実施の形態】
以下、本発明の実施の形態について図面を用いて説明する。
【００１４】
（１）第１の実施の形態
【００１５】
本発明に係る画像読取装置は、例えば、図１に示すようなディジタル複写機１００に適用される。
【００１６】
このディジタル複写機１００は、詳細は後述する画像読取機能を有しており、両面複写が可能な複写機である。
まず、ディジタル複写機１００の構成及び動作について説明する。
【００１７】
ディジタル複写機１００は、原稿自動送り装置２０１と、画像読取装置２０２と、画像再生装置３０１とを備えている。
【００１８】
原稿自動送り装置２０１は、原稿が載置される原稿載置部２０３と、原稿載置部２０３に載置された原稿を画像読取装置２０２を経由して機外に排出するための給紙ローラ２０４、搬送ガイド２０６、搬送ベルト２０８、及び排紙ローラ２０５とを備えている。
【００１９】
画像読取装置２０２は、原稿の表面用及び裏面用の画像読取部２０７及び２１４と、原稿を照明する照明２０９と、照明２０９から照明された原稿上の画像情報を画像読取部２０７及び２１４に導くための反射ミラー２１０、２１１及び２１２とを備えている。
また、画像読取装置２０２は、原稿が載置される原稿ガラス台２１４を備えている。
【００２０】
画像再生装置３０１は、画像読取装置２０２で得られた画像読取信号に対応した静電潜像を形成するための帯電器３１０及び感光ドラム３０９と、画像読取装置２０２で得られた画像読取信号を感光ドラム３０９に導くための光走査器３１１、ミラー３１２及び３１３と、上記静電潜像を現像するための現像器３１４と、その像を記録紙に転写するための転写分離器３１５とを備えている。
また、画像再生装置３０１は、記録紙を収納するための紙カセット３０２及び３０４と、紙カセット３０２及び３０４に収納された記録紙を感光ドラム３０９に導くための給紙ローラ３０３及び３０５、搬送ローラ３０６及び３０７、及びレジストローラ３０８とを備えている。
さらに、画像再生装置３０１は、定着器３１８と、転写分離器３１５で像が転写された記録紙を定着器３１８に導くための搬送ベルト３１７と、定着器３１８で像が定着された記録紙を反転させると共に機外に排出するための定着排紙ローラ３１９、搬送ローラ３２０、反転ローラ３２１、ローラ３２２及び３２３、排紙ローラ３２４、反転パス３２５、及び両面パス３２６とを備えている。
【００２１】
上述のようなディジタル複写機１００は、原稿の読取モードとして、流し読みモードと、固定モードとの２つのモードを有している。
流し読みモードとは、原稿を原稿載置部２０３に載置して、その原稿を一定速度で搬送させて読み取るモードである。このとき、原稿を読み取るための照明２０９や、反射ミラー２１０、２１１及び２１２等を含む読取系は、固定された状態（停止された状態）である。
一方、固定モードとは、原稿を原稿ガラス台２１４上に載置して、流し読みモードとは逆に、上述の読取系を一定速度で移動させて、原稿を読み取るモードである。
このような２つのモードを有するディジタル複写機１００において、例えば、両面原稿を読み取る場合には、表面と裏面とも流し読みモードでその原稿が読み取られ、片面原稿を読み取る場合には、流し読みモードと固定モードの何れかの選択されたモードでその原稿が読み取られる。また、通常、シート状の原稿を読み取る場合には、流し読みモードでその原稿が読み取られ、綴じられた原稿を読み取る場合には、固定モードでその原稿が読み取られる。
【００２２】
そこで、例えば、両面原稿である原稿ｍを流し読みモードで読み取る場合、先ず、原稿自動送り装置２０１の原稿載置部２０３に置かれた原稿ｍは、給紙ローラ２０４によって分離及び給紙され、搬送ガイド２０６を経由して、表面ｍａ  の読取装置２０２に搬送される。
そして、その原稿ｍは、搬送ベルト２０８によって一定速度で搬送され、排紙ローラ２０５によって機外に排出される。
【００２３】
原稿ｍが読取装置２０２に搬送され機外に排出されるまでの間に、読取装置２０２では、画像読取部２１３及び２０７により、原稿ｍの表面ｍａ  及び裏面ｍｂ  の画像情報の読み取りが同時に行われる。
画像読取部２１３及び２０７は、各々同様の構成としており、例えば、レンズ、ＣＣＤ等の光電変換素子、及び該光電変換素子の駆動回路（図示せず）を含んでいる。
【００２４】
具体的には、読取装置２０２の読取位置で照明２０９により照明された原稿ｍの表面ｍａ  の画像情報は、反射ミラー２１０、２１１及び２１２を含む光学系によって画像読取部２１３に導かれ、画像読取部２１３で画像読取信号に変換される。
また、原稿ｍの裏面ｍｂ  の画像情報も、表面ｍａ  の画像と同様にして、画像読取部２０７で画像読取信号に変換される。
【００２５】
画像読取部２１３及び２０７で各々得られた表面ｍａ  及び裏面ｍｂ  の各画像読取信号は、後ページ単位で、後述する画像処理部により所定の信号処理が行われ、画像再生装置３０１により記録紙の対応する面に各々像再生される。
【００２６】
具体的には、画像再生装置３０１において、先ず、表面ｍａ  の画像読取信号は、図示していない半導体レーザ等によって光信号（レーザ光）に変換され、ポリゴンミラーによる光走査器３１１、ミラー３１２及び３１３を経由して、帯電器３１０によって表面を一様に帯電された感光ドラム３０９上に露光され、静電潜像を形成する。その静電潜像は、現像器３１４の図示していないトナーによって現像され、転写分離器３１５によってトナー像として記録紙ｃの対応する面に転写される。
【００２７】
ここで、トナー像が転写される記録紙ｃは、紙カセット３０２及び３０４に収納されている。
紙カセット３０２に収納されている記録紙は、給紙ローラ３０３によって給紙され、搬送ローラ３０６によって搬送され、レジストローラ３０８によって画像とのタイミングを調整して感光ドラム３０９の転写位置に搬送されるようになされている。
一方、紙カセット３０４に収納されている記録紙は、給紙ローラ３０５によって給紙され、搬送ローラ３０７及び３０６によって搬送され、レジストローラ３０８によって画像とのタイミングを調整して感光ドラム３０９の転写位置に搬送されるようになされている。
【００２８】
転写分離器３１５によってトナー像が転写された記録紙ｃは、搬送ベルト３１７によって定着器３１８に搬送され、そのトナー像、すなわち表面ｍａ  のトナー像が定着される。
【００２９】
定着器３１８でトナー像が定着された記録紙ｃは、定着排紙ローラ３１９から搬送ローラ３２０を経由して、反転ローラ３２１によって反転パス３２５へ搬送される。そして、その記録紙ｃの後端が両面パス３２６との合流ポイントを通過した直後に、反転ローラ３２１の回転が反転する。これにより、記録紙ｃは、反転し、両面パス３２６へと搬送される。
【００３０】
このとき、裏面ｍｂ  の画像読取信号は、上述の表面ｍａ  の画像読取信号と同様にして、光信号（レーザ光）に変換され、ポリゴンミラーによる光走査器３１１、ミラー３１２及び３１３を経由して、帯電器３１０によって表面を一様に帯電された感光ドラム３０９上に露光され、静電潜像を形成する。その静電潜像は、現像器３１４によって現像される。
一方、上述のようにして両面パス３２６に搬送された記録紙ｃは、ローラ３２２及び３２３によって搬送され、再び搬送ローラ３０６を経由して、レジストローラ３０８によって裏面ｍｂ  の画像とのタイミングが調整された後、感光ドラム３０９の転写位置に搬送される。そして、記録紙ｃの他方の面には、裏面ｍｂ  のトナー像が転写され定着される。
【００３１】
上述のようにして、表面ｍａ  及び裏面ｍｂ  のトナー像が対応する面上に定着された記録紙ｃは、排紙ローラ３２４によって機外に排紙される。
【００３２】
尚、片面原稿を固定モードで読み取る場合には、上述の流し読みモードにおける表面ｍａ  のトナー像の転写及び定着と同様にして、記録紙に片面原稿の画像情報のトナー像の転写及び定着が行われる。その後、その記録紙は、定着排紙ローラ３１９及び排紙ローラ３２４によって、機外に排紙される。
【００３３】
以上、ディジタル複写機１００の機械的な構成及び動作を説明した。
つぎに、ディジタル複写機１００が有する画像読取機能について具体的に説明する。
【００３４】
ディジタル複写機１００が有する画像読取機能は、両面原稿を同時に読取可能な機能であり、例えば、図２に示すような構成としている。
すなわち、この画像読取機能２００は、上記図２に示すように、画像読取部２０７（上記図１）に対応した画像読取部１０１と、画像読取部２１３（上記図１）に対応した画像読取部１０２と、画像読取部１０１及び画像読取部１０２の各出力が供給される画像処理部１０３と、画像処理部１０３の出力が供給される画像書込部１０４とを備えている。
【００３５】
まず、上述のような画像読取機能２００の一連の動作について説明する。
【００３６】
例えば、固定モードにより片面原稿を読み取る場合、上述のようにして、照明２０９（上記図１）で照明された原稿の画像情報は、画像読取部１０１に与えられる。
画像読取部１０１は、その与えらえた画像情報を読み取って画像信号に変換して、画像読取信号ＶＤＡとして画像処理部１０３に供給する。
このとき、片面原稿の読み取りであるため、画像処理部１０２からの出力はない。
したがって、画像処理部１０３には、画像読取部１０１の画像読取信号ＶＤＡのみが供給されることになる。
画像処理部１０３は、詳細は後述するが、画像読取部１０１からの画像読取信号ＶＤＡに所定の信号処理を行う。
画像書込部１０４は、上述した画像再生装置３０１（上記図１）に対応するものであり、画像処理部１０３で所定の信号処理が行われた画像読取信号ＶＤＡを、記録紙上に像再生する。
【００３７】
一方、流し読みモードにより両面原稿を読み取る場合、上述のようにして、照明２０９（上記図１）で照明された原稿の表面の画像情報は、画像読取部１０１に与えられ、これと同時に、原稿の裏面の画像情報は、画像読取部１０２に与えられる。
画像読取部１０１は、その与えられた表面の画像情報を読み取って画像信号に変換して、画像読取信号ＶＤＡとして画像処理部１０３に供給する。また、画像読取部１０２は、その与えられた裏面の画像情報を読み取って画像信号に変換して、画像読取信号ＶＤＢとして画像処理部１０３に供給する。
画像処理部１０３は、詳細は後述するが、画像読取部１０１からの画像読取信号ＶＤＡと、画像読取部１０２からの画像読取信号ＶＤＢとに、所定の信号処理を行う。
【００３８】
ここで、この場合、原稿の搬送速度が、片面原稿の読取時よりも遅く、例えば、半分となるようにする。これにより、画像読取部１０１及び１０２は各々、上述の片面原稿の読取時の読取速度に対して半分の遅い読取速度で画像情報の読取を行うことになる。
したがって、画像処理部１０３には、画像読取部１０１の画像読取信号ＶＤＡと、画像読取部１０２の画像読取信号ＶＤＢとが、同時に供給されるが、画像読取信号ＶＤＡと画像読取信号ＶＤＢは、各々片面原稿の読取時に対して半分の速度となっているため、画像処理部１０３で処理される単位時間当たりの情報量は、片面原稿の読取時と略同等となる。
【００３９】
上述のようにして、画像処理部１０３で所定の信号処理が行われた画像読取信号ＶＤＡと画像読取信号ＶＤＢは、画像書込部１０４により、記録紙の対応する面に各々像再生される。
【００４０】
つぎに、上述した画像処理部１０３について具体的に説明する。
【００４１】
画像処理部１０３は、例えば、図３に示すように、画像読取部１０１（上記図２）からの画像読取信号ＶＤＡ、及び画像読取部１０２（上記図２）からの画像読取信号ＶＤＢが供給されるセレクタ４０５と、セレクタ４０５の出力が供給される画像処理回路４０６とを備えており、画像処理回路４０６の出力が、この画像処理部１０３の出力として画像書込部１０４（上記図２）に供給されるようになされている。
また、画像処理部１０３は、セクレタ４０５に対して出力するタイミングコントローラ４０７と、タイミングコントローラ４０７の出力が供給され画像処理回路４０６に対して出力するセクレタ４０８と、画像処理回路４０６の出力に接続されたメモリコントローラ４０９と、メモリコントローラ４０９に接続されたメモリ４１０とを備えている。
【００４２】
上述のような画像処理部１０３において、例えば、固定モードにより片面原稿を読み取る場合（以下、片面読取モードと言う）、画像読取部１０１からの画像読取信号ＶＤＡは、セレクタ４０５の端子ｃに供給される。
セレクタ４０５は、端子ｆ＝”１”且つ端子ｇ＝”Ｘ（任意）”のとき端子ｄ＝端子ｃとなり、端子ｆ＝”０”且つ端子ｇ＝”１”のとき端子ｄ＝端子ａとなり、端子ｆ＝”０”且つ端子ｇ＝”０”のとき端子ｄ＝端子ｂとなるようになされている。
【００４３】
そこで、この場合には、タイミングコントローラ４０７は、信号ＤＵＰを”１”として出力する。この出力信号ＤＵＰ（＝”１”）は、セレクタ４０５の端子ｆに供給されると共に、後述するセレクタ４０８に供給される。
これにより、セレクタ４０５では、端子ｆ＝”１”となり、この結果、端子ｄ＝端子ｃとなる。したがって、セレクタ４０５の端子ｃに供給された画像読取部１０１からの画像読取信号ＶＤＡは、画像読取信号ＶＤとして、セレクタ４０５を通過して端子ｄから画像処理回路４０６に供給される。
【００４４】
また、タイミングコントローラ４０７は、ライン同期信号ＨＳ１及びＨＳ２をセレクタ４０８に供給する。
セレクタ４０８は、タイミングコントローラ４０７の出力信号ＤＵＰ（＝”１”）により、タイミングコントローラ４０７からのライン同期信号ＨＳ１及びＨＳ２から、１ライン毎のライン同期信号ＨＳ１を選択し、そのライン同期信号ＨＳ１をライン同期信号ＨＳとして画像処理回路４０６に供給する。
【００４５】
これにより、画像処理回路４０６は、例えば、図４に示すように、セレクタ４０８からのライン同期信号ＨＳ（１ライン毎のライン同期信号ＨＳ１）に同期して、セレクタ４０５からの画像読取信号ＶＤ（ライン信号Ｌ１，Ｌ２，・・・からなる画像読取信号ＶＤＡ）に所定の信号処理を行って出力する。
【００４６】
画像処理回路４０６から出力される画像読取信号は、メモリコントローラ４０９の制御により、メモリ４１０に一旦記憶される。
メモリ４１０に一旦記憶された画像読取信号は、メモリコントローラ４０９の制御により、画像書込部１０４の像再生シーケンスに従って記録紙の搬送に同期するように読み出される。
したがって、メモリ４１０から読み出された画像読取信号は、画像書込部１０４に供給され、記録紙に像再生される。
【００４７】
一方、流し読みモードにより両面原稿を読み取る場合（以下、両面読取モードと言う）、画像読取部１０１からの画像読取信号ＶＤＡ、及び画像読取部１０２からの画像読取信号ＶＤＢは、各々同時に、セレクタ４０５の端子ａ及び端子ｂに供給される。
【００４８】
この場合、タイミングコントローラ４０７は、信号ＤＵＰを”０”として出力する。この出力信号ＤＵＰ（＝”０”）は、セレクタ４０５の端子ｆに供給されると共に、セレクタ４０８に供給される。
また、タイミングコントローラ４０７は、信号ＳＥＬを１ライン毎に”０”と”１”で繰り返し切り換えて出力する。この出力信号ＳＥＬ（＝”０”、”１”）は、セレクタ４０５の端子ｇに供給される。
【００４９】
これにより、信号ＳＥＬ＝”１”のとき、端子ｇ＝”１”となり、信号ＤＵＰ＝”０”であるため端子ｆ＝”０”となり、この結果、端子ｄ＝端子ａとなる。したがって、セレクタ４０５の端子ａに供給された画像読取部１０１からの画像読取信号ＶＤＡは、画像読取信号ＶＤとして、セレクタ４０５を通過して端子ｄから画像処理回路４０６に供給される。
また、信号ＳＥＬ＝”０”のとき端子ｇ＝”０”となり、信号ＤＵＰ＝”０”であるため端子ｆ＝”０”となり、この結果、端子ｄ＝端子ｂとなる。したがって、セレクタ４０５の端子ｂに供給された画像読取部１０２からの画像読取信号ＶＤＢは、画像読取信号ＶＤとして、セレクタ４０５を通過して端子ｄから画像処理回路４０６に供給される。
【００５０】
上述のように、タイミングコントローラ４０７から出力される信号ＳＥＬが”１”のときには、セレクタ４０５では画像読取信号ＶＤＡが選択出力され、タイミングコントローラ４０７から出力される信号ＳＥＬが”０”のときには、セレクタ４０５では画像読取信号ＶＤＢが選択出力され、画像処理回路４０６には、画像読取信号ＶＤＡと画像読取信号ＶＤＢが１ライン毎に交互に、画像読取信号ＶＤとして供給される。
【００５１】
また、タイミングコントローラ４０７は、ライン同期信号ＨＳ１及びＨＳ２をセレクタ４０８に供給する。
セレクタ４０８は、タイミングコントローラ４０７の出力信号ＤＵＰ（＝”０”）により、タイミングコントローラ４０７からのライン同期信号ＨＳ１及びＨＳ２から、２ライン毎のライン同期信号ＨＳ２を選択し、そのライン同期信号ＨＳ２をライン同期信号ＨＳとして画像処理回路４０６に供給する。
【００５２】
これにより、画像処理回路４０６は、セレクタ４０８からのライン同期信号ＨＳ（２ライン毎のライン同期信号ＨＳ２）に同期して、セレクタ４０５からの画像読取信号ＶＤ（画像読取信号ＶＤＡ及び画像読取信号ＶＤＢ）に所定の信号処理を行って出力する。
【００５３】
画像処理回路４０６から出力される表面と裏面に対応した画像読取信号は同時
に、メモリコントローラ４０９の制御により、メモリ４１０に一旦記憶される。
メモリ４１０に一旦記憶された表面と裏面に対応した画像読取信号は個別に、メモリコントローラ４０９の制御により、画像書込部１０４の像再生シーケンスに従って記録紙の搬送に同期するように読み出される。
したがって、メモリ４１０から表面と裏面で個別に読み出された画像読取信号は、画像書込部１０４に供給され、記録紙の対応する面に像再生される。
【００５４】
ここで、図５は、この場合のセレクタ４０５の動作タイミングを示した図である。
セレクタ４０５において、信号ＳＥＬ＝”１”のときには、画像読取信号ＶＤＡの各ライン信号ＬＡ１，ＬＡ２，・・・を選択出力し、信号ＳＥＬ＝”０”のときには、画像読取信号ＶＤＢの各ライン信号ＬＢ１，ＬＢ２，・・・を選択出力する。したがって、セレクタ４０５の出力である画像読取信号ＶＤは、ライン信号ＬＡ１，ＬＢ２，ＬＡ３，ＬＢ４，・・・となる。
【００５５】
このとき、原稿の搬送速度は、片面読取モード時よりも遅い速度、ここでは半分の速度となり、原稿の搬送方向の解像度は、片面読取モード時の倍となる。すなわち、画像読取信号ＶＤＡと画像読取信号ＶＤＢのライン数は各々、片面読取モード時の倍となり、両方併せて片面読取モード時の４倍のライン数の画像読取信号が画像処理部１０３に供給されることになる。
しかし、画像処理部１０３において、では、セレクタ４０５により、供給された画像読取信号ＶＤＡ及びＶＤＢは、セレクタ４０５により各々交互に１ラインずつ間引かれるため、画像処理回路４０６に供給される画像読取信号ＶＤの総ライン数は、供給された画像読取信号ＶＤＡ及びＶＤＢの総ライン数の半分、すなわち片面読取モード時の２倍の数となる。また、原稿の搬送速度は、上述したように、片面読取モード時の半分であるため、原稿の読取速度も片面読取モード時の半分となる。
したがって、画像処理回路４０６で処理される単位時間当たりのライン数は、片面読取モード時と同一となるため、画像処理回路４０６の性能は、片面読取モード時と同一でよい。
【００５６】
上述のようにして、両面読取モード時には、原稿読取時の単位時間当たりのライン数が片面読取モード時と同一となるように、原稿の読取速度を片面読取モード時よりも遅くすることで、このときの画像処理部１０３の性能を、片面読取モード時の性能と同一としても、ディジタル複写機１００としての性能を落とすことなく、効率的に両面原稿の同時読み取りを行うことができる。また、従来のように、表面用と裏面用で性能の異なる２重の画像処理部を設ける必要もない。
【００５７】
（２）第２の実施の形態
【００５８】
この第２の実施の形態では、上述した第１の実施の形態における画像処理部１０３の構成（上記図３）を、例えば、図６に示すような構成とする。
【００５９】
すなわち、画像処理部１０３は、上記図６に示すように、上記図３の構成要件に加えて、画像読取部１０１（上記図２）からの画像読取信号ＶＤＡが供給されるＦＩＦＯ４０１と、ＦＩＦＯ４０１の出力が供給される演算回路４０２と、画像読取部１０２（上記図２）からの画像読取信号ＶＤＢが供給されるＦＩＦＯ４０３と、ＦＩＦＯ４０３の出力が供給される演算回路４０４とを備えており、演算回路４０２には上記画像読取信号ＶＤＡも供給され、演算回路４０４には上記画像読取信号ＶＤＢも供給されるようになされている。
そして、セクレタ４０５には、演算回路４０１及び４０３の各出力と、上記上記画像読取信号ＶＤＡとが供給されるようになされている。
また、演算回路４０２及び４０４には、タイミングコントローラ４０７が出力するライン同期信号ＨＳ１が供給されるようになされている。
【００６０】
尚、ここでは、上述した第１の実施の形態と異なる箇所についてのみ具体的に説明する。
【００６１】
そこで、両面読取モード時の画像処理部１０３の動作について説明する。
【００６２】
先ず、画像処理部１０３には、画像読取部１０１からの画像読取信号ＶＤＡと、画像読取部１０２からの画像読取信号ＶＤＢとが同時に供給される。
【００６３】
上記画像読取信号ＶＤＡは、演算回路４０２の端子Ｙに供給されると共に、ライン遅延用のＦＩＦＯ４０１に供給される。
ＦＩＦＯ４０１は、供給された画像読取信号ＶＤＡを１ライン分遅延した画像読取信号ＶＤＡ＋を演算回路４０２の端子Ｘに供給する。
したがって、演算回路４０２には、画像読取部１０１からの画像読取信号ＶＤＡがそのまま端子Ｙを介して供給されると共に、その画像読取信号ＶＤＡが１ライン分遅延された画像読取信号ＶＤＡ＋が端子Ｘを介して供給されることとなる。
演算回路４０２は、タイミングコントローラ４０７からのライン同期信号ＨＳ１に従って、
（Ｘ＋Ｙ）／２
なる演算を行い、各ラインの対応画素毎の平均値信号ＶＤＡＭを求め、それを端子Ｚから出力する。
この演算回路４０２の出力は、セレクタ４０５の端子ａに供給される。
【００６４】
一方、上記画像読取信号ＶＤＢは、演算回路４０４の端子Ｙに供給されると共に、ライン遅延用のＦＩＦＯ４０３に供給される。
ＦＩＦＯ４０３は、供給された画像読取信号ＶＤＢを１ライン分遅延した画像読取信号ＶＤＢ＋を演算回路４０４の端子Ｘに供給する。
したがって、演算回路４０４には、画像読取部１０２からの画像読取信号ＶＤＢがそのまま端子Ｙを介して供給されると共に、その画像読取信号ＶＤＢが１ライン分遅延された画像読取信号ＶＤＢ＋が端子Ｘを介して供給されることとなる。
演算回路４０４は、タイミングコントローラ４０７からのライン同期信号ＨＳ１に従って、
（Ｘ＋Ｙ）／２
なる演算を行い、各ラインの対応画素毎の平均値信号ＶＤＢＭを求め、それを端子Ｚから出力する。
この演算回路４０４の出力は、セレクタ４０５の端子ｂに供給される。
【００６５】
このとき、タイミングコントローラ４０７は、信号ＤＵＰを”０”として出力すると共に、信号ＳＥＬを１ライン毎に”０”と”１”を繰り返し切り換えて出力する。
これらの出力信号ＤＵＰ及びＳＡＬは、セレクタ４０５の端子ｆ及びｇに供給される。
【００６６】
セレクタ４０５は、上述したように、端子ｆ＝”１”且つ端子ｇ＝”Ｘ（任意）”のとき端子ｄ＝端子ｃとなり、端子ｆ＝”０”且つ端子ｇ＝”１”のとき端子ｄ＝端子ａとなり、端子ｆ＝”０”且つ端子ｇ＝”０”のとき端子ｄ＝端子ｂとなる。
したがって、タイミングコントローラ４０７の出力信号ＳＡＬが”１”のときには、セレクタ４０５で平均値信号ＶＤＡＭが選択出力され、タイミングコントローラ４０７の出力信号ＳＡＬが”０”のときには、セレクタ４０５で平均値信号ＶＤＢＭが選択出力され、画像処理回路４０６には、平均値信号ＶＤＡＭと平均値信号ＶＤＢＭが１ライン毎に交互に、信号ＶＤとして供給される。
【００６７】
ここで、図７は、ここでのセレクタ４０５の動作タイミングを示す図である。
演算回路４０２から出力される平均値信号ＶＤＡＭは、画像読取部１０１から供給される画像読取信号ＶＤＡの前後のライン信号の平均であるから、上記画像読取信号ＶＤＡをライン信号ＬＡ１，ＬＡ２，・・・とすると、（ＬＡ１＋ＬＡ２）／２，（ＬＡ２＋ＬＡ３）／２，（ＬＡ３＋ＬＡ４）／２，・・・となる。
また、演算回路４０４から出力される平均値信号ＶＤＢＭも同様に、画像読取部１０２から供給される画像読取信号ＶＤＢの前後のライン信号の平均であるから、上記画像読取信号ＶＤＢをライン信号ＬＢ１，ＬＢ２，・・・とすると、（ＬＢ１＋ＬＢ２）／２，（ＬＢ２＋ＬＢ３）／２，（ＬＢ３＋ＬＢ４）／２，・・・となる。
【００６８】
このような平均値信号ＶＤＡＭ及び平均値信号ＶＤＢＭが供給されるセレクタ４０５は、タイミングコントローラ４０７が出力する信号ＳＥＬが”１”のときに、平均値信号ＶＤＡＭを選択出力し、上記信号ＳＥＬが”０”のときに、平均値信号ＶＤＢＭを選択出力する。
したがって、セレクタ４０５の出力である信号ＶＤは、（ＬＡ１＋ＬＡ２）／２，（ＬＢ２＋ＬＢ３）／２，（ＬＡ３＋ＬＡ４）／２，・・・となる。
すなわち、画像処理回路４０６に供給される信号ＶＤは、画像読取信号ＶＤＡ及びＶＤＢの全てのライン成分が含まれることになる。
このように構成することで、上述した第１の実施の形態で得られる効果に加えて、画質を向上させることができる、という効果も得ることができる。
【００６９】
【発明の効果】
以上説明したように第１の発明によれば、両面読取モードでは、片面読取モードでの読取速度よりも遅い読取速度で画像情報の読み取りが行われ、処理手段で処理される単位時間当たりの読取ライン数（第１及び第２の画像読取情報量）が、片面読取モードでの単位時間当たりの読取ライン数（画像読取情報量）と同等以下と共に、処理手段で第１及び第２の画像読取情報の全てのラインに対して処理することができる。これにより、処理手段が有する能力は、両面読取モードと片面読取モードで同等でよく、画質の向上という効果も得ることができる。したがって、従来生じていた、両面読取モード時に処理手段に片面読取モード時の性能以上のものを持たせたにも関わらず、それによる効果を有効に活用することができない、という問題はなく、処理手段を両面読取モードと片面読取モードで同等の性能としても、画像読取としての性能を落とすことなく、効率的に原稿の両面の同時読み取りを行うことができる。また、従来のように、表面用と裏面用で性能の異なる２重の処理手段を設ける必要もない。
【００７３】
第２の発明によれば、複写機としての性能を落とすことなく、効率的に原稿の両面の複写を行う複写機を提供することができる。
【００７４】
第３の発明によれば、画像読取装置又は複写機としての性能を落とすことなく、効率的に原稿の両面の読取又は複写を行うシステムを提供することができる。
【図面の簡単な説明】
【図１】第１の実施の形態において、本発明に係る画像読取装置を適用したディジタル複写機の構成を説明するための図である。
【図２】上記ディジタル複写機が有する画像読取機能の構成を示すブロック図である。
【図３】上記画像読取機能の画像処理部の構成を示すブロック図である。
【図４】上記画像処理部において、片面読取モード時の画像読取信号とライン同期信号のタイミング関係を説明するための図である。
【図５】上記画像処理部において、セレクタの動作タイミングを説明するための図である。
【図６】第２の実施の形態において、上記画像処理部の構成を示すブロック図である。
【図７】上記画像処理部において、セレクタの動作タイミングを説明するための図である。
【図８】従来の画像読取装置の構成を示すブロック図である。
【符号の説明】
２００  画像読取機能
１０１、１０２  画像読取部
１０３  画像処理部
１０４  画像書込部
【図１】
0003634597.tif 000002
【図２】
0003634597.tif 000003
【図３】
0003634597.tif 000004
【図４】
0003634597.tif 000005
【図５】
0003634597.tif 000006
【図６】
0003634597.tif 000007
【図７】
0003634597.tif 000008
【図８】
0003634597.tif 000009